(57)【要約】【課題】  プラスチックシートやチューブの重ね合わせた部位の溶着作業を円滑に行うことができる手芸又は玩具用溶着器を提供すること。【解決手段】  プラスチックシートを、ケース１の上面に直線状に配置されたニクロム線１３に対して直交方向やニクロム線１３の向きと同一方向若しくは斜め方向の何れの方向からも挿入可能とする空間部１７と、プラスチックシートをニクロム線１３の長手方向に案内する案内部１８と、ニクロム線１３の向きと同一方向に配置した差込溝４をケース１に設け、差込溝４に挿入される規制部材３６の一方の側面を案内部１８と同一面とされるように設け、プラスチックシートの側端面を案内部１８及び／又は規制部材３６の側面に接触させつつ同シートをニクロム線１３の長手方向に案内することができるように設け、プラスチックシートの前端面を規制部材３６の側面に当接させることにより同シートの位置決めが施されるようにした。【選択図】  図１
2006346959.tif 000002
【特許請求の範囲】
【請求項１】
ケースの上面に所定長さの直線状の電熱線からなる加熱部を設け、そのケースに上下方向に移動可能に設けられた押え部材の下部を該加熱部に対して接離自在に設け、重ね合わせられたプラスチックシートの所望部位を該加熱部上に載置して該押え部材により押圧することにより該部位が溶着されるように構成した手芸又は玩具用溶着器において、
前記プラスチックシートを前記電熱線に対して直交方向や当該電熱線の向きと同一方向若しくは斜め方向の何れの方向からも挿入可能とする空間部と、そのプラスチックシートを前記電熱線の長手方向に案内する案内部と、前記電熱線の向きと同一方向に配置された差込溝とを前記ケースに設け、その差込溝に挿入される規制部材の一方の側面を前記案内部と同一面とされるように設けて前記プラスチックシートの側端面を当該案内部及び／又は当該規制部材の側面に接触させつつ同シートを前記電熱線の長手方向に案内することができるように設け、そのプラスチックシートの前端面を前記規制部材の側面に当接させることにより同シートの位置決めが施されるように構成したことを特徴とする手芸又は玩具用溶着器。
【請求項２】
前記プラスチックシートの溶着部位の近傍を挟持可能なホルダーを前記差込溝に着脱自由に設けたことを特徴とする請求項１に記載の手芸又は玩具用溶着器。
【発明の詳細な説明】
【技術分野】
【０００１】
本発明は、プラスチックシートやチューブの重ね合わせた部位を溶着（ヒートシール）するための手芸又は玩具用溶着器に関する。
【背景技術】
【０００２】
従来の玩具用溶着器として、ケースの上面に直線状に配置された電熱線（ニクロム線）を耐熱性のテープ片によって覆い、そのケースに上下方向に移動可能に設けた押え部材の下部を電熱線による加熱部に対して接離自在に設け、重ね合わせられた２枚のプラスチックシートの所望部位を加熱部上に載置した状態で押さえ部材を手で押圧することにより、その部位を溶着するように構成されたものがある。その玩具用溶着器では、加熱部上に差し込まれるプラスチックシートの縁部を加熱部から少し後方に設けられたストッパー部に当接させることにより、そのシートの位置決めを行うように構成されている。
【０００３】
しかし、上記溶着器では、プラスチックシートの縁部を溶着することはできるが、例えば、縦長のプラスチックチューブに小物等を収めてその前後位置に溶着を施して密封し、ついで新たな小物等を収めて溶着を施して密封することを繰り返して小袋を連ねた包装形態とするような使い方はできなかった。
【０００４】
また、プラスチックシートの重ね合わせた部分を保持可能なホルダーを備えていない場合には、溶着器に対するシートのセット等が円滑に行ないにくいという問題があった。
【特許文献１】特開２０００−３１３０６６号公報
【発明の開示】
【発明が解決しようとする課題】
【０００５】
本発明の目的は、プラスチックシートやチューブの重ね合わせた部位の溶着作業を円滑に行うことができる手芸又は玩具用溶着器を提供することにある。
【課題を解決するための手段】
【０００６】
前記目的を達成するために請求項１に記載した発明は、ケースの上面に所定長さの直線状の電熱線からなる加熱部を設け、そのケースに上下方向に移動可能に設けられた押え部材の下部を該加熱部に対して接離自在に設け、重ね合わせられたプラスチックシートの所望部位を該加熱部上に載置して該押え部材により押圧することにより該部位が溶着されるように構成した手芸又は玩具用溶着器において、
前記プラスチックシートを前記電熱線に対して直交方向や当該電熱線の向きと同一方向若しくは斜めの方向の何れの方向からも挿入可能とする空間部と、そのプラスチックシートを前記電熱線の長手方向に案内する案内部と、前記電熱線の向きと同一方向に配置された差込溝とを前記ケースに設け、その差込溝に挿入される規制部材の一方の側面を前記案内部と同一面とされるように設けて前記プラスチックシートの側端面を当該案内部及び／又は当該規制部材の側面に接触させつつ同シートを前記電熱線の長手方向に案内することができるように設け、そのプラスチックシートの前端面を規制部材の側面に当接させることにより同シートの位置決めが施されるように構成したことを特徴とするものである。
【０００７】
同様の目的を達成するために請求項２に記載した発明は、請求項１に記載の手芸又は玩具用溶着器において、前記プラスチックシートの溶着部位の近傍を挟持可能なホルダーを前記差込溝に着脱自由に設けたことを特徴とするものである。
【発明の効果】
【０００８】
（請求項１の発明）
この手芸又は玩具用溶着器は、四角いプラスチックシートの縁部の溶着だけでなく、縦長形のプラスチックシートの側縁やチューブ等に対する溶着作業を規制部材やホルダーの補助具を利用して円滑に行うことができ、使い勝手に優れている。
【０００９】
（請求項２の発明）
この手芸又は玩具用溶着器は、プラスチックシートの溶着部位の近傍を挟持するホルダーを備えているので、プラスチックシートのセット等の作業を円滑に確実に行なうことができる。
【発明を実施するための最良の形態】
【００１０】
以下に、本発明の最良の形態例を図面に基づいて説明する。図１は本発明の手芸用溶着器の斜視図、図２は同、側面図、図３は手芸用溶着器の要部を縦断した状態を示す正面図、図４は加熱部の説明図、図５は手芸用溶着器の要部を縦断した状態を示す側面図、図６は本発明の手芸用溶着器の電気回路図、図７は規制部材の斜視図、図８はホルダーの斜視図、図９はプラスチックチューブに溶着を施した包装形態の説明図である。
【００１１】
図１に示す本発明の手芸用溶着器Ｈは、重ね合わせられたプラスチックシート又はプラスチックチューブの所望部位に溶着（ヒートシール）を施すための装置であり、アクセサリー等の小物を袋状のものに収容した形態とする作業のために使用される。
【００１２】
この手芸用溶着器Ｈのケース１は、前後方向の縦寸法を左右方向の幅寸法よりも少し長く、後部を円弧形とした扁平な形態とされ、図３に示すように、二つに分割された上部ケース２と下部ケース６とを合一させて図示しないビスにより締付けて一体化するように設けられている。その上部ケース２の平坦な上面２ａには、右側縁２ｂ寄りに縦長形の凹部３が形成され、その凹部３と平行に一定幅で所定長さの差込溝４が形成されている。
【００１３】
その下部ケース６には、乾電池３５を収容する電池室７を形成し、その電池室７を底蓋８にて覆うように設けられている。
【００１４】
上部ケース２の凹部３には、耐熱性を有する薄板片１１を上面に固着した受け片１０が嵌着されている。１２は薄板片１１の上面に前後（縦）方向に直線状に配置された所定長さの電熱線としてのニクロム線１３を耐熱性薄片１４によって被覆することにより設けられた加熱部である（図４）。
【００１５】
１５は上部ケース２の上面２ａの後方に取り付けられたほぼ逆Ｌ字形状のカバー体である。このカバー体１５の前後方向に延びるアーム１６は前記加熱部１２の上方に配置されていて、当該アーム１６の下面１６ａと上部ケース２の上面２ａとの間が開放された空間部１７を設けている。その空間部１７は、溶着が施されるプラスチックシートを前記ニクロム線１３に対して直交方向や当該ニクロム線１３の向きと同一方向若しくは斜めの方向の何れの方向からも挿入可能とするために設けられている。また、アーム１６の後方位置には、図２に示すように、プラスチックシートをニクロム線１３の長手方向に案内するための案内部１８を前記空間部１７に臨むように設けている。
【００１６】
上記アーム１６には、押え部材２１を上下方向に移動可能に設けている。詳しくは、その押え部材２１の本体部２２は、図５に示すように、上面に突設された一対の軸２２ａをアーム１６の内方に突出するように所定間隔をおいて設けられた筒形ボス１９，１９の透孔に挿入すると共に、当該筒形ボス１９内に突出する軸２２ａにコイルバネ２３を介装してサークリップ２４を嵌着している。３４は本体部２２の上面中央に設けた取付け部２２ｂに固定されたマイクロスイッチである。
【００１７】
押釦２６は、上記アーム１６に形成された長穴２０から該頭部を露出するように当該アーム１６の内方から挿入されている。その押釦２６の外側に突設されたフランジ２６ａは、長穴２０の下面に当接させるようにされていて当該押釦２６が外に飛び出すことのないように設けられている。押釦２６とマイクロスイッチ３４との間には、コイルバネ２５を介装している。また、押釦２６の内側中央に突設された突起２６ｂは、マイクロスイッチ３４の可動部３４ａに対向するように配置されている。
【００１８】
２７は本体部２２の下部に形成された凹部２２ｃに嵌着されたシリコン製のゴム片である。このゴム片２７は、押釦２６を手で押し下げて本体部２２を下降させることにより前記加熱部１２に弾力的に接触し、他方、その状態で押釦２６から手を離すと、コイルバネ２３の弾発力によって本体部２２が上昇することにより加熱部１２から離れるように設けられている。
【００１９】
カバー体１５には、電源スイッチ３０と、ニクロム線１３に通電する時間を設定するタイマー用調整ツマミ３２と、通電中であることを点灯表示する発光ダイオード３３が配設されている。図６に示す本発明の手芸用溶着器Ｈの電気回路図において、３１はタイマー用調整ツマミ３２を備えたタイマー回路、３４は押釦２６が押圧されて少し下降したときに開接点を閉じるように設けられた安全用マイクロスイッチである。
【００２０】
以上により、重ね合わせられたプラスチックシートの所望部位を加熱部１２の上に載置した状態で押釦２６を押し下げることによりマイクロスイッチ３４が作動すると共に当該シートがゴム片２７によって弾力的に押圧され、マイクロスイッチ３４のオン動作によりタイマー回路３１が起動してニクロム線１３に電力が供給され、そのニクロム線１３の加熱により所望部位に溶着を施すようにした本発明の手芸用溶着器Ｈが構成される。
【００２１】
図７に示す規制部材３６は、長尺のプラスチックシートの長手方向に連続して溶着を施す場合等に使用するための補助具である。この規制部材３６は、一定幅で細長く形成された平板部３７の一端にツマミ３８を一体に設け、その平板部３７の下面３７ａに一対の突片３９ａと一対の突片３９ｂを前後位置に一体に設けている。それら突片３９ａ，３９ｂの外側寸法と高さ寸法については、ケース１の差込溝４にきつめに遊嵌可能な大きさに設けられている。この規制部材３６を差込溝４に挿入したときには、その側面３７ｂが前記ケース１の案内部１８と同一面とされ、かつ、平板部３７の一方の側縁が空間部１７に挿入されるように設けられている。
【００２２】
しかして、上記規制部材３６を差込溝４に挿入した場合には、例えば、長尺のプラスチックシートの側端面を案内部１８及び／又は当該規制部材３６の側面３７ｂに接触させつつ同シートをニクロム線１３の長手方向に案内することができる。また、プラスチックシートの前端面を該側面３７ｂに当接させることにより同シートの位置決めを簡単に施すことができるように設けられている。
【００２３】
図８に示すホルダー４０は、プラスチックシートの溶着部位の近傍を挟持するための補助具である。このホルダー４０の細長形の平板片４１は上面中央の長手方向に突条４１ａが形成されていて、一端に軸孔４２ａを備えた支持部４２を、他端に上向きの係止突起４３を一体に設けている。他方の可動片４５は、前記突条４１ａを内方に受け入れ可能な突起部４５ｂを下面４５ａの両側縁に適宜間隔にて設け、一端に前記軸孔４２ａに挿入可能な軸４６を、他端に前記係止突起４３に対応するフック４７を一体に設けている。４８は可動片４５の側部に設けられたツマミである。このホルダー４０は、平板片４１の軸孔４２ａに可動片４５の軸４６を嵌めこむことにより両者を組み付けており、可動片４５を平板片４１に対して相対的に開放し、他方、可動片４５を平板片４１に対して閉じたときに係止突起４３にフック４７が嵌合することによりその閉じた状態を保持するように設けられている。また、このホルダー４０は、前記ケース１の差込溝４に平板片４１を挿入し及び取り外すことにより着脱自由に設けられている。
【００２４】
つぎに、本発明の手芸用溶着器Ｈの使い方を、図９に示す縦長形のプラスチックチューブａに小物等を収めて溶着を施す場合を例にして説明する。
（１）まず、ホルダー４０を使用してプラスチックチューブａの溶着予定の近傍を挟持させた後、その状態にてホルダー４０を手芸用溶着器Ｈの差込溝４に挿入する。
（２）プラスチックチューブａの先端部が加熱部１２の上にセットされていることを目視により確認してから、電源スイッチ３０をオン動作させる。
（３）（２）の状態において、使用者が押釦２６を押し下げると、マイクロスイッチ３４が閉じてニクロム線１３に電力が供給され当該ニクロム線１３が加熱される。その押釦２６による押圧状態を発光ダイオード３３の点灯している間保持し、タイマーの設定時間の消化により発光ダイオード３３が消灯してから押釦２６から手を離す。これにより、プラスチックチューブａの所望部位に溶着が施される。
（４）ついで、アクセサリー等の好みの小物を収めてから適宜間隔を置いた部位を同様の操作を行うことにより溶着して密封を施し、再び新たな小物を収めて溶着を施して密封することを繰り返す。これにより、図９に示す小袋ｂを連ねた包装形態が得られる。なお、所望により各小袋ｂの間のヒートシール部分の中央箇所を鋏により切断すれば、一個ずつの小袋ｂが得られる。
【００２５】
以上に述べた通り、この手芸又は玩具用溶着器は、プラスチックシートやチューブを左右方向や前後方向に移動させつつ所望の部位の溶着作業を規制部材やホルダーの補助具を利用して円滑に行うことができて大変使い勝手が良い。
【図面の簡単な説明】
【００２６】
【図１】本発明の手芸用溶着器の斜視図
【図２】同、側面図
【図３】手芸用溶着器の要部を縦断した状態を示す正面図
【図４】加熱部の説明図
【図５】手芸用溶着器の要部を縦断した状態を示す側面図
【図６】本発明の手芸用溶着器の電気回路図
【図７】規制部材の斜視図
【図８】ホルダーの斜視図
【図９】プラスチックチューブに溶着を施した包装形態の説明図
【符号の説明】
【００２７】
Ｈ・・・本発明の手芸用溶着器
１・・・ケース
４・・・差込溝
１２・・・加熱部
１３・・・ニクロム線（電熱線）
１５・・・カバー体  １６・・・アーム
１７・・・空間部
１８・・・案内部
２１・・・押え部材
２６・・・押釦
３６・・・規制部材
３７ｂ・・・側面
４０・・・ホルダー
【図１】
2006346959.tif 000003
【図２】
2006346959.tif 000004
【図３】
2006346959.tif 000005
【図４】
2006346959.tif 000006
【図５】
2006346959.tif 000007
【図６】
2006346959.tif 000008
【図７】
2006346959.tif 000009
【図８】
2006346959.tif 000010
【図９】
2006346959.tif 000011